(57)【特許請求の範囲】
【請求項１】
処理内容を表示する表示手段と、オペレーティングシステムの制御下でアプリケーションプログラムを実行するアプリケーション実行手段とを備えたデータ処理装置において、
前記オペレーティングシステムが備える機能に関し、前記表示手段の画面表示からの直接利用を許可する標準モードまたは前記表示手段の画面表示からの直接利用を禁止する制限モードのいずれか一方の選択を受け付ける画面モード管理手段と、
この画面モード管理手段が前記標準モードの選択を受け付けたとき、前記表示手段への画面表示形式を標準モードに設定し、前記画面モード管理手段が前記制限モードの選択を受け付けたとき、前記表示手段への画面表示形式を制限モードに設定する画面モード設定手段と、
前記標準モードおよび前記制限モード双方の設定下において、アプリケーションプログラムの選択画面を前記表示手段に表示させ、この選択画面を介して前記アプリケーション実行手段により実行すべきアプリケーションプログラムの選択を受け付けるアプリケーション選択手段と、
を備え、
前記アプリケーション実行手段は、前記アプリケーション選択手段が選択を受け付けたアプリケーションプログラムを実行することを特徴とするデータ処理装置。
【請求項２】
前記画面モード管理手段が選択を受け付けた前記標準モードまたは前記制限モードの種別を記憶し、この記憶した種別を当該データ処理装置のシャットダウン後においても保持する画面モード記憶手段をさらに備え、
前記画面モード設定手段は、当該データ処理装置の起動当初において、前記画面モード記憶手段に記憶された種別が前記標準モードであるとき、前記表示手段への画面表示形式を前記標準モードに設定し、前記画面モード記憶手段に記憶された種別が前記制限モードであるとき、前記表示手段への画面表示形式を前記制限モードに設定することを特徴とする請求項１に記載のデータ処理装置。
【請求項３】
前記画面モード設定手段は、前記表示手段への画面表示形式を前記制限モードに設定したとき、前記表示手段への画面表示の前面に当該画面表示の全体を視認不可能に覆い隠す画面を表示し、この画面の前面に前記アプリケーション実行手段により実行されたアプリケーションプログラムの実行画面を表示して前記オペレーティングシステムが備える機能の直接利用を禁止することを特徴とする請求項１または２に記載のデータ処理装置。
【請求項４】
前記画面モード設定手段は、前記表示手段への画面表示形式を前記制限モードに設定したとき、前記アプリケーション実行手段により実行されたアプリケーションプログラムの実行画面の前記表示手段への表示位置を固定することを特徴とする請求項１乃至３のうちいずれか１に記載のデータ処理装置。
【発明の詳細な説明】
【技術分野】
【０００１】
本発明は、同時に複数のソフトウェアを実行することが可能な事務用コンピュータなどのデータ処理装置に関する。
【背景技術】
【０００２】
コンピュータのＯＳ（Operating System）として、Ｗｉｎｄｏｗｓ（登録商標）やＬｉｎｕｘ（登録商標）などのマルチタスクＯＳが一般に広く知られている。これらのＯＳ上で動作するアプリケーションプログラムは、ウィンドウと呼ばれる領域内に画面を表示して、操作者によるキーボード入力やマウス入力を受け付けながら動作する。一般的なマルチタスクＯＳにおいては、複数のアプリケーションプログラムが同時実行可能であり、その際は操作者が各アプリケーションの表示画面を適宜切り替えながら入力操作を行う。また、ＯＳが備えるシステムツールやユーティリティプログラムなどの機能も同様に同時実行可能である。（例えば、特許文献１を参照）
ところで、事務用コンピュータや組み込み機器のようにコンピュータの利用を特定用途に限定し、操作者にＯＳのシステムツールやユーティリティプログラムの使用許諾を与えない運用が望まれる場合がある。このような運用を上記のように複数のアプリケーションプログラムやユーティリティプログラムを同時に複数実行可能なコンピュータにおいて実現するために、アプリケーションプログラムの表示画面サイズを最大化してデスクトップと呼ばれるＯＳの画面を完全に覆い隠し、容易に他の機能を利用できないようにするなどの方法が採られている。また、アプリケーションプログラムの実行中には自身が備える機能の直接利用を制限することができるように設計されたＯＳや、同様の制限機能を備えるアプリケーションプログラムなどのソフトウェアを用いる場合もある。
【特許文献１】特開平２０００−３３０６８４号公報
【発明の開示】
【発明が解決しようとする課題】
【０００３】
しかしながら、上記のように表示画面サイズを最大化してデスクトップを覆い隠す方法は、アプリケーションプログラムの表示画面サイズがデスクトップサイズよりも小さい場合には使用できない。また、操作者がアプリケーションプログラムの実行中にも自身が備える各種機能を同時に利用可能なＯＳやソフトウェアを導入した後、操作者にＯＳが備える各種機能の利用を禁止する環境に変更したいときには、ＯＳやソフトウェア自体の変更無しには実行環境を変更することができなかった。そのため、ＯＳが備える各種機能の直接利用を許可または禁止する環境を切り替えながら運用することは容易ではなく、不便であった。
【０００４】
本発明は、上記のような事情に基づいてなされたものであり、その目的は、ＯＳやアプリケーションプログラムなどのソフトウェアの変更を行わずとも、操作者に対するＯＳが備える各種機能の利用の許可または禁止を切り替えながら運用することができるデータ処理装置を提供することである。
【課題を解決するための手段】
【０００５】
本発明は、処理内容を表示する表示手段と、オペレーティングシステムの制御下でアプリケーションプログラムを実行するアプリケーション実行手段とを備えたデータ処理装置において、前記オペレーティングシステムが備える機能に関し、前記表示手段の画面表示からの直接利用を許可する標準モードまたは前記表示手段の画面表示からの直接利用を禁止する制限モードのいずれか一方の選択を受け付ける画面モード管理手段と、この画面モード管理手段が前記標準モードの選択を受け付けたとき、前記表示手段への画面表示形式を標準モードに設定し、前記画面モード管理手段が前記制限モードの選択を受け付けたとき、前記表示手段への画面表示形式を制限モードに設定する画面モード設定手段と、前記標準モードおよび前記制限モード双方の設定下において、アプリケーションプログラムの選択画面を前記表示手段に表示させ、この選択画面を介して前記アプリケーション実行手段により実行すべきアプリケーションプログラムの選択を受け付けるアプリケーション選択手段と、を備え、前記アプリケーション実行手段は、前記アプリケーション選択手段が選択を受け付けたアプリケーションプログラムを実行することを特徴としている。
【発明の効果】
【０００６】
かかる手段を講じた本発明によれば、ＯＳやアプリケーションプログラムなどのソフトウェアの変更を行わずとも、操作者に対するＯＳが備える各種機能の利用の許可または禁止を切り替えながら運用することができるデータ処理装置を提供することができる。
【発明を実施するための最良の形態】
【０００７】
以下、本発明を実施するための一実施の形態について、図面を参照しながら説明する。なお、本実施の形態は、主に特定の事務処理を行うことを目的とする事務用のデータ処理装置１に本発明を適用した一例である。
【０００８】
図１は、データ処理装置１の制御回路を示す模式図である。データ処理装置１の制御回路は、制御主体である制御部２に、表示デバイス３、入力デバイス４、ポインティングデバイス５、ハードディスクドライブ６、画面モード管理部７、画面モード設定部８、機能選択受付部９およびアプリケーション実行部１０をデータバスやアドレスバスなどのバスライン２０で接続して構成されている。
【０００９】
上記表示デバイス３は、たとえばＬＣＤ（Liquid Crystal Display）やＣＲＴ（Cathode-Ray Tube）などのディスプレイであり、データ処理装置１の各種処理内容を表示する。上記入力デバイス４は、たとえば置数キーやアルファベットキーなどの各種操作キーを配置したキーボードであり、操作者による操作入力を受け付ける。上記ポインティングデバイス５は、たとえば所定の操作ボタンを配置したマウスであり、平面上での位置変動を検知して入力する。
【００１０】
上記ハードディスクドライブ６は、比較的大容量なデータ領域を有し、ＯＳに関するデータファイル、各種ユーティリティプログラムに関するデータファイル、およびデータ処理装置１がＯＳの制御の下で実行するアプリケーションＡ-１〜アプリケーションＡ-ｎ（ｎ；整数）に関するアプリケーションファイルＦ-１〜アプリケーションファイルＦ-ｎが記憶されている。それぞれのアプリケーションファイルには、アプリケーションの実行に必要な実行プログラムなどの各種データが含まれている。
【００１１】
上記機能選択受付部９は、操作者が実行を所望するアプリケーションの実行や当該データ処理装置１のシステム終了処理など、各種処理の選択を受け付ける。操作者は、表示デバイス３への画面表示に従い、入力デバイス４またはポインティングデバイス５の操作によって、実行を所望する各種処理の選択を行うことができる。
【００１２】
上記アプリケーション実行部１０は、機能選択受付部９が上記アプリケーションＡ-１〜アプリケーションＡ-ｎの中から特定のアプリケーションの実行を受け付けたとき、ハードディスクドライブ６に記憶されたアプリケーションファイルＦ-１〜アプリケーションファイルＦ-ｎの中から該当するアプリケーションファイルを特定してその実行プログラムを実行する。
【００１３】
上記画面モード管理部７には、表示デバイス３に表示する画面の設定状態を記憶する画面モードファイル３０が記憶されている。図２は、画面モードファイル３０のデータ形式を示す模式図である。画面モードファイル３０には、表示デバイス３に表示される操作画面の表示モードである標準モードおよび制限モードの種別が、“０”若しくは“１”のビットデータで記憶されている。
【００１４】
なお、上記標準モードとは、オペレーティングシステムが備えるシステムツールやユーティリティプログラムなどの機能を、実行中のアプリケーションプログラムを介さずに直接利用することができる画面表示形式である。一方、上記制限モードとは、オペレーティングシステムが備えるシステムツールやユーティリティプログラムなどの機能を、実行中のアプリケーションプログラムの処理に使用される範囲でしか利用することができない画面表示形式である。  
上記画面モード設定部８は、画面モードファイル３０に記憶された“０”若しくは“１”のビットデータにより標準モードまたは制限モードの種別を特定し、表示デバイス３への画面表示形式を変更する。
【００１５】
次に、上記標準モードおよび制限モードについて図３，図４および図５を用いて説明する。図３は、標準モードの設定時において表示デバイス３に表示される表示画面５０の一例を示す模式図である。標準モード設定時における表示画面５０には、ＯＳによって表示されるデスクトップ５１上にアプリケーション実行画面５２、タスクバー５３およびアイコン５７が表示されている。
【００１６】
上記アプリケーション実行画面５２は、現在実行中のアプリケーションの操作に供されるウィンドウであり、各アプリケーションファイルＦ-１〜Ｆ-ｎに記憶されたデータに基づいてラベル、テキストボックスおよびコマンドボタンなどの種々の画面部品が配置されている。上記タスクバー５３には、ＯＳが備えるシステムツールやユーティリティプログラムを実行する際に操作されるスタートボタン５４、現在実行中のアプリケーションプログラムの種別を示すタスクボタン５５および現在のシステム時刻を表示するための時刻表示領域５６が表示されている。上記アイコン５７は、スタートボタン５４の操作によらずシステムツールやユーティリティプログラムを実行するためのショートカットキーなどである。なお、アプリケーション実行画面５２に配置された各画面部品、スタートボタン５４、タスクボタン５５およびアイコン５７は、入力デバイス４およびポインティングデバイス５を用いて操作または入力が可能となっている。上記タスクボタン５５は、複数のアプリケーションが同時実行されている際には、それぞれのアプリケーションに対して表示され、ポインティングデバイス５を用いて操作されると、対応するアプリケーション実行画面５２がアクティブとなって最前面に表示される。
【００１７】
このような標準モードの設定時の表示画面においては、ポインティングデバイス５を用いたドラッグ操作によりアプリケーション実行画面５２を表示デバイス３の表示画面内で自由に移動可能である。このようにして図３に示した状態からアプリケーション実行画面５２の表示位置を移動させた際の表示画面５０の一例を図４に示している。図４に示した表示画面５０では、図３に示した表示画面５０の状態においてアプリケーション実行画面５２に隠れて十分に視認できなかったアイコン５７が、アプリケーション実行画面５２を移動させたことによって視認可能となっている。
【００１８】
図５は、制限モード設定時において表示デバイス３に表示される表示画面６０の一例を示す模式図である。制限モードにおいては、表示デバイス３の表示画面の全体を覆い隠すオーバーラップ画面５８がデスクトップ５１の前面に表示され、当該オーバーラップ画面５８の前面にアプリケーション実行画面５２が表示される。また、アプリケーション実行画面５２の他に、最小限の情報としてシステム日時が表示画面６０の右下部に表示される。このように、制限モードに画面モードが設定されている場合においてはデスクトップ５１およびタスクバー５３がオーバーラップ画面５８に覆い隠される。そのため、操作者は、スタートボタン５４、タスクボタン５５およびアイコン５７を操作することができず、ＯＳが備えるシステムツールやユーティリティプログラムなどの機能を直接利用することができない。ただし、アプリケーションプログラムの処理の過程において間接的に上記システムツールやユーティリティプログラムなどの機能を利用することは可能である。そのため、アプリケーションプログラムの実行に支障が生ずることはない。
【００１９】
次に、上記のようなデータ処理装置１の構成による作用について説明する。図６は、データ処理装置１の起動状態において制御部２、画面モード管理部７、画面モード設定部８、機能選択受付部９およびアプリケーション実行部１０が実行する処理の流れを示す模式図である。
【００２０】
先ず、操作者がデータ処理装置１の本体の所定位置に設けられた電源投入スイッチを操作すると、商用電源がデータ処理装置１の制御回路に取り込まれるとともに、ＳＴ１として、制御部２がデータ処理装置１を構成する各部の初期化処理を実行する。
【００２１】
次に、ＳＴ２として、画面モード設定部８が画面モード管理部７の管理する画面モードファイル３０を参照し、当該画面モードファイル３０に記憶された“０”または“１”ビットデータを取得する。そして、取得したビットデータに基づいて、ＳＴ３として現在設定されている画面モードが標準モードであるか制限モードであるかを判断する。ＳＴ２の処理にて画面モードファイル３０から“０”を取得していたときには標準モードであると判断し（ＳＴ３の“標準モード”）、現在オーバーラップ画面が表示されているならば、ＳＴ４としてオーバーラップ画面を消去する。一方、ＳＴ２の処理にて画面モードファイル３０から“１”を取得していたときには制限モードであると判断し（ＳＴ３の“制限モード”）、現在オーバーラップ画面が表示されていないならば、ＳＴ５としてオーバーラップ画面を表示する。
【００２２】
なお、画面モードファイル３０に記憶された画面モードの種別は、データ処理装置１のシステムがシャットダウンされた後においても保持される。そのため、データ処理装置１の起動当初は、前回の起動時に画面モードファイル３０に記憶されていた画面モードの種別を取得することとなる。なお、予めデフォルトとして標準モードまたは制限モードの一方を設定しておき、毎回の起動時において画面モードファイル３０の記憶内容を初期化するようにしてもよい。
【００２３】
上記ＳＴ４またはＳＴ５の処理の後、ＳＴ６として、機能選択受付部９が表示デバイス３の表示画面にメニュー画面６１を表示し、操作者による機能の選択入力を受け付ける。  
図７は、メニュー画面６１の一例を示す模式図である。当該メニュー画面６１は、アプリケーション選択リスト６２、終了ボタン６３および現在のシステム日時の表示領域を備え、制限モードに設定されている場合でもオーバーラップ画面５８の前面に表示される。  
上記終了ボタン６３は、データ処理装置１のシステムを終了処理する際に操作されるボタンである。上記アプリケーション選択リスト６２には、“１．納品書”,“２．売上入力”,“３．送り状”のように昇順の番号が付されてアプリケーションＡ-１〜アプリケーションＡ-ｎの名称が表示される。ちなみに、“納品書”とは、納品数量、納品金額、納品日時および納品先などの情報を入力して納品書を作成するためのアプリケーションである。また、“売上入力”とは、当日の売上金額や商品の販売数量などの情報を入力して、累積的な売上金額、在庫数または発注量を計算するためのアプリケーションである。また、“送り状”とは、書類を送付した日時、添付書類内容、送付者および送付先などの情報を入力して送り状を作成するためのアプリケーションである。このようにアプリケーション選択リスト６２に表示されたアプリケーションの中から、操作者は所望のアプリケーションを選択して実行することができる。
【００２４】
また、メニュー画面６１が表示されている状態で入力デバイス４に設けられた所定の操作キーが操作されると、表示デバイス３の表示画面に画面モードの設定を行うための画面モード設定画面６４（図８の説明にて後述する）が表示される。本実施形態においては、入力デバイス４に設けられたＦ１キーが操作された際に画面モード設定画面６４が表示される。
【００２５】
メニュー画面６１が表示された状態で入力デバイス４またはポインティングデバイス５による操作入力を受け付けたときには、ＳＴ７として、機能選択受付部９が選択された機能が画面モードの設定、アプリケーションの実行またはシステムの終了のいずれであるかを判定する。
【００２６】
上記Ｆ１キーの操作を受け付けたときには、選択された機能が画面モードの設定であると判断される（ＳＴ７の“画面モード設定”）。そして、ＳＴ８として、画面モード管理部７が上記画面モード設定画面６４を表示デバイス３の表示画面に表示して設定モードの選択を受け付ける。図８は、画面モード設定画面６４の一例を示す模式図である。画面モード設定画面６４は、オプションボタン６５、オプションボタン６６、ＯＫボタン６７およびキャンセルボタン６８を備え、制限モードに設定されている場合でもオーバーラップ画面５８の前面に表示される。上記オプションボタン６５は、画面モードを標準モードに設定する際に選択する。上記オプションボタン６６は、画面モードを制限モードに設定する際に選択する。これらオプションボタン６５，６６の選択は、ポインティングデバイス５の操作により行い、上記ＯＫボタン６７の操作により画面モードの選択が確定される。
【００２７】
このようにして画面モードの選択を受け付けた際には、ＳＴ９として、画面モード管理部７が選択された画面モードを画面モードファイル３０に登録する。すなわち、オプションボタン６５が選択された状態でＯＫボタンが操作されたときには標準モードを意味する“０”のビットデータを画面モードファイル３０に記憶し、オプションボタン６６が選択された状態でＯＫボタンが操作されたときには制限モードを意味する“１”のビットデータを画面モードファイル３０に記憶する。なお、キャンセルボタン６８が操作されたときには、ＳＴ９の処理は行わない。このように、ＯＫボタン６７またはキャンセルボタン６８が操作された後、画面モード管理部７は画面モード設定画面６４を閉じてＳＴ２の処理に戻る。
【００２８】
ＳＴ７の処理にてアプリケーション選択リスト６２からいずれかのアプリケーションが選択されたときには、選択された機能がアプリケーションの実行であると判断される（ＳＴ７の“アプリケーション実行”）。そして、ＳＴ１０として、アプリケーション実行部１０が画面モードファイル３０を参照し、現在の画面モードを判定する。このとき、画面モードファイル３０に“０”が記憶されているときには、標準モードであると判断される（ＳＴ１０の“標準モード”）。そして、ＳＴ１１として、アプリケーション実行部１０が選択されたアプリケーションの実行プログラムを実行し、アプリケーション実行画面の移動を許可した状態でアプリケーションを起動する。
【００２９】
一方、画面モードファイル３０に“１”が記憶されているときには、制限モードであると判断される（ＳＴ１０の“制限モード”）。そして、ＳＴ１２として、アプリケーション実行部１０が選択されたアプリケーションの実行プログラムを実行し、アプリケーション実行画面の移動を禁止した状態でアプリケーションを起動する。ＳＴ１１またはＳＴ１２の処理にてアプリケーションを起動した後には、再びＳＴ２の処理が実行される。
【００３０】
なお、ＳＴ７の処理にて終了キー６３の操作を受け付けたときには、選択された機能がシステムの終了処理であると判断される（ＳＴ７の“終了”）。このとき、ＳＴ１３として、制御部２がシステムの終了処理を実行する。
【００３１】
以上説明したように、データ処理装置１は、制限モードに設定されている際には表示デバイス３の表示画面の全体を覆い隠すオーバーラップ画面５８をデスクトップ５１の前面に表示する。このとき操作者は、デスクトップ５１に設けられたアイコン５７やタスクバー５３に設けられたスタートボタン５４を操作することができない。そのため、操作者に特定のアプリケーションのみを使用させたいときには、ＯＳが備えるシステムツールやユーティリティプログラムなどの直接利用を禁止することができる。また、操作者にＯＳが備える機能の直接利用を禁止する必要がない場合には、ＳＴ６〜ＳＴ９で説明した手順により標準モードに設定すればよい。このように、データ処理装置１は、ＯＳやアプリケーションプログラムＦ-１〜Ｆ-ｎに一切変更を加えずとも標準モードと制限モードとを適宜切り替えながら運用することができるのでデータ処理装置１が使用される状況に応じた最適な設定を実現できる。
【００３２】
また、制限モードでは、アプリケーション実行画面５２がデスクトップ５１より小さくても最大化されるわけではないので、アプリケーション実行画面５２がデスクトップ５１に比べて小さい場合においても適格にＯＳが備えるシステムツールやユーティリティプログラムなどの直接利用を禁止することができる。
【００３３】
また、制限モードに設定されている場合には、アプリケーション実行画面５２の移動が禁止されるので、コンピュータの操作に不慣れな操作者が当該データ処理装置１を使用したとしてもアプリケーション実行画面５２を無闇に移動するなど、意図しない操作が行われることを防止することができる。さらに、オーバーラップ画面５８によりデスクトップ５１が視認できなくなるので、デスクトップ５１上から利用できるＯＳが備える機能を意識することなく適格に実行中のアプリケーションによる業務を行うことができる。
【００３４】
なお、この発明は前記実施形態そのままに限定されるものではなく、実施段階においては、その要旨を逸脱しない範囲内にて各構成要素を適宜変形して具体化することができる。
【００３５】
例えば、上記実施形態においては制限モードの設定時にデスクトップ５１の前面を覆うオーバーラップ画面５８をデスクトップ５１の前に表示することでＯＳが備えるシステムツールやユーティリティプログラムなどの機能を使用できないようにしたが、当該ＯＳが備える機能の使用制限方法はこれに限定されない。アプリケーション画面５２のサイズがデスクトップ５１やツールバー５３を覆い隠す大きさに変更できるのであれば、オーバーラップ画面５８の表示に代えて、制限モードの設定時にはアプリケーション画面５２が最大化されるようにしてもよい。そして、最大化されたアプリケーション画面５２のサイズ変更や表示位置の移動を禁止すれば、デスクトップ５１に表示されたアイコン５７やスタートボタン５４の操作ができないので、オーバーラップ画面５８を表示した際と同様の効果を得ることができる。
【００３６】
また、上記実施形態においては、制限モードに設定されている場合にはアプリケーション実行画面５２の移動を禁止してアプリケーションを実行するとしたが（ＳＴ１０，ＳＴ１２）、既に標準モードでアプリケーションが実行されているときにも、制限モードへの設定変更がなされたことに応じてアプリケーション実行画面５２の移動を禁止するようにしてもよい。このとき、アプリケーション実行画面５２のデフォルト表示位置を設定しておき、制限モードへの設定変更がなされたときには、たとえアプリケーション実行画面５２の表示位置が移動されていたとしても当該デフォルト表示位置に表示位置が変更されるようにするなどの手段を講じてもよい。
【００３７】
この他、前記実施形態に開示されている複数の構成要素を適宜組み合わせることにより種々の発明を形成することができる。例えば、実施形態に示される全体構成要素から幾つかの構成要素を削除してもよい。
【図面の簡単な説明】
【００３８】
【図１】本発明の一実施形態におけるデータ処理装置の制御回路を示す模式図。
【図２】同実施形態における画面モードファイルに記憶されるデータ形式を示す模式図。
【図３】同実施形態における標準モード設定時の表示画面の一例を示す模式図。
【図４】同実施形態において図３中のアプリケーション実行画面の表示位置を移動させた際の表示画面を示す模式図。
【図５】同実施形態における制限モード設定時の表示画面の一例を示す模式図。
【図６】同実施形態におけるデータ処理装置の起動状態において実行される処理の流れ図。
【図７】同実施形態におけるメニュー画面の一例を示す模式図。
【図８】同実施形態における画面モード設定画面の一例を示す模式図。
【符号の説明】
【００３９】
１…データ処理装置、２…制御部、３…表示デバイス、４…入力デバイス、５…ポインティングデバイス、６…ハードディスクドライブ、７…画面モード管理部、８…画面モード設定部、９…機能選択受付部、１０…アプリケーション実行部、２０…バスライン、３０…画面モードファイル、５８…オーバーラップ画面
【図１】
0004731585.tif 000002
【図２】
0004731585.tif 000003
【図３】
0004731585.tif 000004
【図４】
0004731585.tif 000005
【図５】
0004731585.tif 000006
【図６】
0004731585.tif 000007
【図７】
0004731585.tif 000008
【図８】
0004731585.tif 000009